(57)【要約】      （修正有）【課題】不毛で公害を発生している地域を、火力発電所の燃料となる二酸化炭素を吸収した木質チップ生産工場に変換させて、発電エネルギー供給の燃料供給生産地とするシステムを供給する。【解決手段】熱帯地方に群生する成長著しい植物を、特殊な化学物質を利用した土質改良剤を利用して膨大で処理出来ない廃棄物の山に被せて植林を行い、その結果生産される木質チップを火力発電に利用、不毛なゴミ山を電力エネルギー供給できる材料の供給基地にする。【選択図】図３
2019195318.tif 000002
【特許請求の範囲】
【請求項１】
都市ゴミなどの有機廃棄物資源を集積した場所に、土をコンベヤに乗せて移送して運びその上に蓄積する装置、更にその上に土壌を固くして植物を植林できる土質改良剤を蓄積する装置、そこに成長の早い熱帯植物ルシアナなどを植林、その植林をカットして木質チップ化を製造する装置、から構成される。その木質チップを火力発電所のボイラの燃料として使用、その時、排出される二酸化酸素（ＣＯ２）は、木質チップを製造する植林が成長する過程で大気から吸収される。この木質チップを発電所のボイラーで燃焼させる時二酸化炭素を発生するが、この植林は二酸化炭素を一時的に吸収して蓄積するサーバーの役割を果たすので、都市ゴミを集積した不毛の膨大な場所を二酸化炭素を一時的に蓄積するサーバーとして使用できる事を特徴とした二酸化炭素サーバーシステム。
【発明の詳細な説明】
【技術分野】
【０００１】  本発明は東南アジア、南アジアなどの開発途上国に大量にある都市ゴミを蓄積、大きな公害を出している場所を、植林が可能な場所に変えて、その場所を二酸化炭素を吸収してそれを蓄積するサーバーに変更するシステムに関するものである。
【背景技術】
【０００２】  化石燃料である重油や石炭を燃焼させ、その熱によりボイラーで蒸気を発生してタービンを駆動、発電する発電所は広く利用されているが、燃焼する時、大量の二酸化炭素を発生するので、地球の温暖化に影響を与えており大きな問題となっている。一方、それを防止する為、木質チップやペレットを使用する火力発電は世界各地で広く利用されているが、その供給量は不足している。【０００３】  熱帯地方にある開発途上国では、大量の都市から出る有機廃棄物や熱帯植物の廃材の処理に困っている。特にＭＳＷ（Ｍｕｎｉｃｉｐａｌ  Ｗａｓｔｅ）と呼ばれている都市ゴミの量は膨大で、小山の様に蓄積されており、その上に鳥や動物が多く集まり、公害をまき散らし大きな社会問題となっている。【０００４】  木造の家の解体で出る柱などの角材、古い板、畳などの処理を、重油を利用せず熱分解・ガス化技術を利用して処理する技術が実用化されている。この技術を利用して廃棄物を処理する検討が進められており、既に特許出願されている（特許出願申請番号：特願２０１６−１５９７７４８、出願人：山地正城）。
【発明の開示】
【発明が解決しようとしている課題】
【０００５】日本では焼却炉の技術が発達していて、都市の家庭や商店などから出る大量の有機廃棄物は焼却炉で処理されているが、焼却炉のコストが大変高く、東南アジアや南アジアなどの発展途上国では、焼却炉を採用して有機廃棄物を処理することがその量が膨大な事、焼却炉のコストが高い事などから実現は大変難しく、その毎日発生する膨大な量の廃棄物は長年蓄積されて各地で廃棄物の小山を形成している。その除去はその量が膨大過ぎて取り除くには膨大なコストと年月を必要であり困難である。アメリカなど砂漠を多く持っており国では、地中に埋めており、日本でも東京の夢の島の様に特別地区を指定して地中に埋め、その上に公園を作っている例がある。本発明はこれを解決する為に発明されたもので、この不毛で公害を発生している地域を、火力発電所の燃料となる二酸化炭素を吸収した木質チップ生産工場に変換させて、発電エネルギー供給の燃料供給生産地とするものである。熱帯地方に位置するアジアの国では、太陽エネルギーも強く、ルシアナなどの植物はその繁殖、成長が著しく早く、毎年その幹をカットして木質チップにして、それを火力発電所の燃料として継続して供給する事ができる。
【課題を解決するための手段】
【０００６】  都市ゴミＭＳＷを蓄積した小山の様になっているＭＳＷ蓄積場は、正に小山であり、そこに植林を行う事は困難である。そこで先ず、その上に土を運ぶ道路の建設が必要となる。これには、この小山の近くにある土を使い、これに土質改良剤を加えて簡易道路を建設する。この簡易道路を使い、土を運び、小山の様に蓄積されたＭＳＷの上に、先ず土を被せる。その後、更にその上に土質改良剤を使った土を使用して一定間隔で簡易道路を作り、その複数設置された道路の間に木質チップの原材料となるルシアナの植林群を一定間隔で植林する。
【０００７】  ルシアナはその成長が著しく早く、次の年には切断された切り株から新しい幹ができる。この様にして、毎年ルシアナの植林から木質ペレットを生み出し、これが火力発電所に送られボイラーで燃焼されて発電エネルギーとなる。この場合、二酸化炭素を産出するが、この二酸化炭素はルシアナが成長途中に空気中から吸収したものであり、従って、プラスマイナスゼロであり、全体として考えると、新たな二酸化炭素は産出されないと言える。即ち、このＭＳＷの廃棄物蓄積場が、二酸化炭素のサーバーとして存在する事になる。
【０００８】    新しく運んで来られるＭＳＷは、このＭＳＷの蓄積場に積まれるのではなく、別途特許申請中の熱分解ガス化装置（特許出願申請番号；特願５０３４０２５７４、発明者  山地正城）により、ガス化されて残滓が極少量の灰となり減容化されて、近くにある土と混合され、ＭＳＷの上に土質改良剤と混合して使用される。この装置や、植林されたルシアナを原材料とする木質チップを製造するのに、ある程度の電力を必要とするが、植林の一部をソーラーパネルにする事により、電力を作り、これで必要な電力を補う事が可能である。
【発明の効果】
【０００９】  この発明は、長年蓄積され膨大な量の廃棄物の山となって、その除去が困難となり、鳥類や動物が多く集まり、大きな社会問題を解決する。そして更にこれをバイオマス発電プラントの燃料となる木質チップを製造供給する緑豊かな場所に変える事が出来、地球環境の改善にも大きく貢献する。
【発明を実施するための最良の形態】
【００１０】  以下、本発明の実施の形態を図１−３に基づいて説明する。【００１１】  図１−３はそれぞれ関連している。【００１２】  図１は廃棄物が小山の様に蓄積された現場を示す一例を示す。広い所では１００ヘクタール以上のものがあり、その除去を短期的に行うのは困難と考えられる。【００１３】  図２はその解決の手段として土質改良剤を使用した道路、その間に成長の著しい熱帯植物を植林するレイアウト例を示す。【００１４】  図３の植林のレイアウトを総合的に示す例を示す。【００１５】  廃棄物の量は場所により、その量は増え続けており、特に住宅に近い地域では、廃棄物から出る有害物質や鳥類、動物による被害は益々大きくなってきている。この広大な場所を有効に利用して再生エネルギーを供給できる場所に変換することが可能となる。
【産業上の利用の可能性】
【００１６】  発展途上国では都市から出る小山の様になっている膨大な量の有機廃棄物は公害の元となるその処理に困っている。又、産業発展する為、更に電力を必要としている。この発明は、これ等課題の解決に大きく役立つものとして大きな社会的貢献が期待される。特に有機廃棄物の量は都市により大きく異なり、膨大な費用を伴う焼却炉など処理プラントの設置は難しくしている。  二酸化炭素発生防止も地球全体として考えた場合、これも大きな課題であり、この課題解決にも貢献する。
ここで生産される木質チップは火力発電所のボイラに利用出来、発生蒸気でタービンを駆動して電力供給を可能にして、環境を改善すると共に産業分野の発展に貢献する。
【図面の簡単な説明】
【００１７】
【図１】  図１は廃棄物が長年そこに廃棄され積み重なって蓄積され小山の様になっている実際の写真の一つを示す。
【図２】  図２は今回の発明により、土質改良剤を利用した道路とその間に成長が著しい植物ルシアナを植林する土壌を用意した図を示す。
【図３】  図３は図２に示す内容を廃棄物全体の広域な場所に設置する例を示す。
【符号の説明】
【００１８】１．廃棄物が蓄積された山
２．土質改良剤と近くの土を混合して簡易道路として建設された道路、基本的には土であ    り、水分は吸収してしばらく経過すれば、草なども生えてくる。
３．ここは土質改良剤を含まない土で、ルシアナなど木質チップを植林する部分、
４．土質改良剤が入った道路部分
５．土質改良剤の入ってないルシアナを植林する部分
６．ソーラーパネル
【図１】
2019195318.tif 000003
【図２】
2019195318.tif 000004
【図３】
2019195318.tif 000005